(57)【特許請求の範囲】
【請求項１】
空気圧式廃棄物搬送システムにおける方法であって、該搬送システムは、より広範な廃棄物搬送システムであって、該より広範な廃棄物搬送システムは、該より広範な廃棄物搬送システムの廃棄物ステーション（２）に主パイプ（１０）を介して接続されている複数のサブシステム（１）から形成されている、より広範な廃棄物搬送システムを備えており、前記複数のサブシステムはそれぞれ、廃材の少なくとも１つの投入点（６１）と、該投入点（６１）に接続されている材料搬送パイプ（１００）と、搬送される前記材料を搬送空気から分離する分離装置と、また、少なくとも材料の移送中に前記搬送パイプ（１００）内で圧力差及び／又は搬送空気流を達成する手段とを備え、該方法において、材料を前記投入点（６１）から前記サブシステム（１）の分離手段（１０６）又は蓄積タンクへ搬送し、該分離手段又は蓄積タンクにおいて前記材料を前記搬送空気から分離し、前記サブシステム（１）の前記分離手段（１０６）又は前記蓄積タンクを空にし、該方法において、前記より広範な廃棄物搬送システムの少なくとも１つの第２のサブシステムであって、前記廃棄物ステーション（２）の分離装置（２０）は、第１のサブシステムと前記少なくとも１つの第２のサブシステムの間に配置されている、少なくとも１つの第２のサブシステムの部分真空発生装置（３、３０、３１）を用いて、材料の搬送において、前記第１のサブシステムと前記分離装置（２０）との間のパイプ内に配置されている少なくとも１つの開閉弁のうちの所定の開閉弁及び前記分離装置（２０）と前記第２のサブシステムとの間のパイプ内に配置されている少なくとも１つの開閉弁のうちの所定の開閉弁を開放することによって、前記主パイプ（１０）内で、１つの前記第１のサブシステムの前記分離手段（１０６）又は前記蓄積タンク内に収集された前記廃棄物を前記廃棄物ステーション（２）の前記分離装置（２０）まで搬送するのに必要な吸引効果を達成することを特徴とする、空気圧式廃棄物搬送システムにおける方法。
【請求項２】
前記方法において、前記複数のサブシステムそれぞれ自身の部分真空発生装置（３、３０、３１）を、前記複数のサブシステム（１）それぞれの前記投入点（６１）を空にすることと関連して用いて、材料搬送に必要な前記吸引効果を達成することを特徴とする、請求項１に記載の方法。
【請求項３】
前記材料を、前記複数のサブシステム（１）それぞれの前記分離装置から前記主パイプ（１０）に沿って前方に、前記廃棄物ステーション（２）の前記分離装置（２０）まで搬送し、前記分離装置（２０）において、搬送される前記材料を前記搬送空気から分離することを特徴とする、請求項１又は２に記載の方法。
【請求項４】
前記より広範なシステムの前記主パイプ（１０）は、搬送空気を該主パイプ（１０）内で循環させることができるように循環路になるように接続されていることを特徴とする、請求項１乃至３のいずれか１項に記載の方法。
【請求項５】
前記方法において、部分真空を、前記１つの第２のサブシステム（１）の少なくとも１つのポンプ装置を用いて、前記より広範なシステムの前記主パイプ（１０）内で達成し、前記ポンプ装置の吸引側は、前記より広範なシステムの前記分離装置（２０）に接続されていることを特徴とする、請求項１乃至４のいずれか１項に記載の方法。
【請求項６】
前記方法において、圧力、すなわち吹き出しを前記第２のサブシステム（１）のファンを用いて達成し、該ファンは、前記主パイプ（１０）の、空にされる前記第１のサブシステム（１）よりも前記材料の進行方向に前記分離手段（２０）から離れた位置に接続されることを特徴とする、請求項１乃至５のいずれか１項に記載の方法。
【請求項７】
前記方法において、材料を、材料の前記投入点（６１）から前記搬送パイプ（１００）内に給送し、前記投入点は、廃棄物の投入点であることを特徴とする、請求項１乃至６のいずれか１項に記載の方法。
【請求項８】
前記方法において、前記複数のサブシステム（１）は街区の廃棄物搬送システムであることを特徴とする、請求項１乃至７のいずれか１項に記載の方法。
【請求項９】
前記より広範なシステムが、或る都市の地区の廃棄物搬送システムであり、前記より広範なシステムは複数のサブシステム（１）を備えることを特徴とする、請求項１乃至８のいずれか１項に記載の方法。
【請求項１０】
空気圧式廃棄物搬送システムのための装置であって、該廃棄物搬送システムは、より広範な廃棄物搬送システムであって、該より広範な廃棄物搬送システムは、該より広範な廃棄物搬送システムの廃棄物ステーション（２）に主パイプ（１０）を介して接続されている複数のサブシステム（１）から形成されている、より広範な廃棄物搬送システムを備えており、前記複数のサブシステム（１）はそれぞれ、廃材の少なくとも１つの投入点（６１）と、該投入点（６１）に接続されている材料搬送パイプ（１００）と、搬送される前記材料を搬送空気から分離する分離装置と、また、少なくとも材料の移送中に前記搬送パイプ（１００）内で圧力差を達成する手段（３０、３１）とを備え、該装置は、材料を前記投入点（６１）から第１のサブシステム（１）の分離手段（１０６）又は蓄積タンクへ搬送する手段を備え、該分離手段又は該蓄積タンクにおいて前記材料が前記搬送空気から分離され、前記第１のサブシステム（１）は、局所的な部分真空発生装置（３、３０、３１）と、前記より広範な廃棄物搬送システムの１つの第２のサブシステムの少なくとも１つの部分真空発生装置とに接続されるように適合されており、前記第１のサブシステム及び前記第２のサブシステムは、前記主パイプに接続されていることを特徴とする、空気圧式廃棄物搬送システムのための装置。
【請求項１１】
前記装置は、材料を、前記複数のサブシステム（１）それぞれの前記分離手段（１０６）又は前記蓄積タンクから前記主パイプ（１０）に沿って前方に、廃棄物ステーション（２）の分離装置（２０）まで搬送する手段を備え、前記分離装置（２０）において、搬送される前記材料を前記搬送空気から分離することを特徴とする、請求項１０に記載の装置。
【請求項１２】
前記より広範なシステムの前記主パイプ（１０）が、搬送空気を該主パイプ（１０）内で循環させることができるように循環路になるように接続されていることを特徴とする、請求項１０又は１１に記載の装置。
【請求項１３】
前記第２のサブシステム（１）の少なくとも１つのポンプ装置（３０、３１）を、前記より広範なシステムの前記循環路の前記主パイプ（１０）に取り付け、前記ポンプ装置の吸引側は、前記より広範なシステムの前記分離装置（２０）に接続されていることを特徴とする、請求項１０乃至１２のいずれか１項に記載の装置。
【請求項１４】
前記第２のサブシステム（１）の少なくとも１つのファンが、前記より広範なシステムの前記循環路の前記主パイプ（１０）の、空にされる前記第１のサブシステム（１）よりも前記材料の搬送方向に前記分離装置（２０）から離れた位置に接続されることを特徴とする、請求項１０乃至１３のいずれか１項に記載の装置。
【請求項１５】
材料の前記投入点（６１）は、廃棄物の投入点であることを特徴とする、請求項１０乃至１４のいずれか１項に記載の装置。
【請求項１６】
前記複数のサブシステム（１）は街区の廃棄物搬送システムであることを特徴とする、請求項１０乃至１５のいずれか１項に記載の装置。
【請求項１７】
前記より広範なシステムが、或る都市の地区の廃棄物搬送システムであり、前記より広範なシステムは複数のサブシステム（１）を備えることを特徴とする、請求項１０乃至１６のいずれか１項に記載の装置。
【請求項１８】
複数のサブシステムから形成されるより広範なシステムと、主パイプ（１０）であって、該主パイプによって前記複数のサブシステム（１）それぞれの廃棄物を前記より広範なシステムの廃棄物ステーション（２）の分離手段へ搬送することができ、該分離手段において前記廃棄物が搬送空気から分離される、主パイプ（１０）とを備える、空気圧式廃棄物搬送システムであって、該システムにおいて、１つの第１のサブシステム（１）の分離手段（１０６）又は収集タンク内に収集された前記材料を、前記第１のサブシステム（１）の前記分離手段（１０６）から前記主パイプ（１０）内で前記より広範なシステムの廃棄物ステーション（２）の分離手段まで搬送するのに必要な圧力差が、少なくとも１つの第２のサブシステム（１）の部分真空発生装置／ファンによって達成されるように適合されていることを特徴とする、空気圧式廃棄物搬送システム。
【請求項１９】
少なくとも２つのサブシステム（１）の前記部分真空発生装置を用いて前記必要な吸引又は部分真空を達成することを特徴とする、請求項１８に記載の廃棄物搬送システム。
【請求項２０】
少なくとも１つの第２のサブシステム（１）の前記部分真空発生装置の吹き出し側が、前記主パイプ（１０）の、該主パイプ（１０）と空にされる前記第１のサブシステム（１）との接続点よりも前記材料の搬送方向に前記廃棄物ステーションの前記分離手段から離れた地点に接続されることを特徴とする、請求項１８又は１９に記載の廃棄物搬送システム。
【請求項２１】
請求項１０乃至１７のいずれか１項に記載の装置を備えることを特徴とする、請求項１８乃至２０のいずれか１項に記載の廃棄物搬送システム。
【発明の詳細な説明】
【技術分野】
【０００１】
本発明の対象は、請求項１のプリアンブルに規定される方法である。
【０００２】
本発明の対象はまた、請求項１０のプリアンブルに規定される装置である。
【０００３】
本発明の対象はまた、請求項１８のプリアンブルに規定される空気圧式廃棄物搬送システムである。
【０００４】
本発明は、包括的には、部分真空搬送システム等の空気圧式材料搬送システムに関し、より詳細には、家庭廃棄物の搬送等の廃棄物の収集及び搬送に関する。
【背景技術】
【０００５】
廃棄物が吸引及び／又は搬送空気によって配管内を搬送されるシステムが当該技術分野で知られている。これらのシステムでは、廃棄物は、配管内の長い距離を吸引によって搬送される。装置は特に、様々な施設における廃棄物の搬送に用いられる。圧力差を達成するために部分真空装置が使用されることが、これらのシステムにとって典型的であり、この装置では、部分真空が、真空ポンプ又はエジェクター装置等の部分真空発生器によって搬送パイプ内で達成される。搬送パイプは通常、少なくとも１つの弁手段を備え、弁手段を開閉することによって、搬送パイプ内に入る補充空気が調節される。地域の新たな建築プロジェクトの好都合な解決策のうちの１つが、パイプ運搬システムによって機能する廃棄物管理である。このことは、分類された廃棄物が地下のパイプに沿って地域全体に共通の廃棄物ステーションまで吸引されることを意味する。このシステムは、清潔であり、無臭かつ無騒音であり、また従来の廃棄物管理よりも環境に優しい解決策であり、隣接するエリアの観点からすればより安全である。廃棄物の運搬に空気圧式パイプ運搬システムを用いることが決定された地域の建築現場では、通常、建設プロジェクト全体がゆっくりと段階を踏んで進むとしても、完成のために搬送配管と、地域の共有の廃棄物ステーションとを作り上げる必要がある。この場合、建設プロジェクトは数年又は更には数十年続く可能性があるが、搬送配管及び廃棄物ステーションに関してシステムを完成させるように作り上げることが必要である。一方で、このシステムの配管及び廃棄物ステーションの容量は、将来的な特定の時期に実現される利用者の人数を考慮して準備が整えられている。廃棄物ステーションは通常、配管内で圧力差を達成する手段、例えば、真空ポンプ又は同等物等の部分真空発生器も備えるものと考えられる。この場合、建設プロジェクトの初期段階において、システムには設計された全容量が数年間はまだ必要とされないとしても、設備への相当な投資を行う必要がある状況に直面する。
【０００６】
本発明の目的は、従来技術の解決策の欠点を回避する、材料搬送システムに関連する新しい種類の解決策を達成することである。本発明の別の目的は、部分真空搬送システムに適用可能な解決策を達成することであり、この解決策によって、システムのサイズをモジュール式に増大させることが可能であり、またこの解決策では、例えば容量要件に関して不必要な、また時期尚早な段階での設備の試運転を回避することができる。
【発明の概要】
【０００７】
本発明は、全体的なシステムが複数のサブシステムからなり、サブシステムはそれぞれ、それ自身の部分真空を達成する手段を備え、このサブシステムを幹配管に接続することができ、この幹配管は、廃棄物ステーションに接続されるように構成されており、この廃棄物ステーション自身の部分真空発生器／ポンプ装置は用いられないが、その代わりに、必要な部分真空を達成するためにサブシステムの部分真空発生器及び／又はファンが用いられる、という概念に基づくものである。本発明の概念では、広範なシステムの材料の搬送に必要な部分真空を生成するのに必要とされる手段が、このシステムにおいてサブシステム内に分散している。
【０００８】
本発明による方法は、本方法において、材料を投入点からサブシステムの分離手段又は蓄積タンクへ搬送し、分離手段又は蓄積タンクにおいて材料を搬送空気から分離し、第２の段階でサブシステムの分離手段又は蓄積タンクを空にすることを特徴とする。
【０００９】
本発明による方法はまた、請求項２乃至９に記載されているものを特徴とする。
【００１０】
本発明による装置は、本装置が、材料を投入点からサブシステムの分離手段又は蓄積タンクに搬送する手段を備え、分離手段又は蓄積タンクにおいて材料が搬送空気から分離され、このサブシステムは、局所的な部分真空発生装置と、より広範な廃棄物搬送システムの第２のサブシステムの少なくとも１つの部分真空発生装置とに接続されるように適合されていることを特徴とする。
【００１１】
本発明による装置はまた、請求項１１乃至１７に記載されているものを特徴とする。
【００１２】
本発明による空気圧式廃棄物搬送システムは、請求項１８に開示されているものを特徴とする。
【００１３】
本発明による解決策は多くの重要な利点を有する。本発明による解決策を用いると、広範な建設プロジェクトにおける廃棄物システムの初期段階のコストを、以前よりも長期間のスパンにわたってより良好に分配することができる。システムは、サブシステムによってモジュール式に拡大することができる。この解決策では、部分真空発生器は各サブシステムと接続して配置されており、それによって、部分真空発生器は、より広範なシステムの使用において必要なシステムの吸引、又は吸引及び吹き出しを生成するのに用いることができる。この場合、廃棄物は、サブシステムの廃棄物の分離手段又は蓄積タンクから、更なる処理のために所望の移送方法で搬送することができる。本発明によるシステムは、確実な動作を可能にし、加えて、１つのサブシステムの部分真空発生装置の故障状況において、バックアップシステム、すなわち幾つかの他のサブシステムの部分真空発生器を使用する容易な可能性を提供する。加えて、サブシステムの搬送配管の直径は、幹配管の直径よりも小さいものとすることができる。この場合、サブシステムの部分真空発生装置の電力要件を小さく保つとともに、本装置の駆動装置の寸法決め及びコストを効果的にすることができる。この場合、廃棄物をサブシステムの分離手段から幹パイプに沿って広範なシステムの廃棄物ステーションへ搬送するとき、幹パイプの直径は通常はサブシステムのパイプよりも大きく、複数のサブシステムの部分真空発生装置が移送に必要な吸引／吹き出しを達成するために用いられる。この場合、広範なシステムの部分真空発生／吹き出しに必要とされる動作電力を、複数のサブシステム内に効率的に分散させることができる。この場合、廃棄物ステーションでは自身の部分真空発生装置は必要とされない。
【００１４】
より広範なシステムの建設段階では、サブシステムを空にすることは、サブシステムの吸引／圧力を使用することにより、廃棄物を例えば運搬手段のタンクに移送することによって行うことができる。この場合、運搬手段は、コンテナー又は同等物等の好適なタンクを備えるものであれば任意の運搬手段であるものとすることができる。システムの配管を、搬送空気の少なくとも一部が循環する循環路を含むように構成することによって、排出空気の量を低減することができる。同時に、システムのエネルギー消費量が低減する。部分真空を維持すると同時に吹き出しを維持することによって、循環路における搬送空気の効果的な循環及び搬送パイプにおける材料の搬送移送を達成することができる。本発明による解決策を用いると、排出空気の量を実質的に低減することが可能であり、同時に、出口パイプ内の可能性のある埃の問題及び微粒子の問題を低減することが可能である。本発明による解決策を用いると、従来技術によって生じていた騒音の問題も実質的に低減することができる。吸引される空気の量が低減すると、エネルギーの使用も低減する。本発明によるシステムの投入点を開閉することによって、搬送パイプ内への材料の効率的な搬送及び搬送パイプにおける移送が達成され、同時に、システムの動作によって生じる騒音の影響を小さく保つことが可能である。
【００１５】
材料搬送システムの搬送パイプを、複数の動作エリア、すなわちサブ循環路で構成されるように構成することによって、搬送配管における材料の移送及び投入点の中身を空にして搬送パイプ内へ移すことを効果的に構成することができる。反対方向への搬送空気の循環を計らうことによって、詰まりの効果的な除去を達成することができる。搬送空気の他方の方向への循環の変化は、環状配管において容易に構成することができる。本発明による解決策は、１つ又は複数の搬送パイプを備える従来の搬送システム及び環状配管を備える搬送システムの双方において用いるのに適している。
【００１６】
以下、本発明を、添付図面を参照してその実施形態の例を用いてより詳細に説明する。
【図面の簡単な説明】
【００１７】
【図１】本発明の一実施形態による１つのシステムを示す図である。
【図１ａ】本発明によるシステムの一部の簡略図である。
【図２】第２の動作段階にある本発明の一実施形態による１つのシステムを示す図である。
【図３】第３の動作段階にある本発明の一実施形態による１つのシステムを示す図である。
【図４】第４の動作段階にある本発明の一実施形態による１つのシステムを示す図である。
【図５】第５の動作段階にある本発明による１つのシステムを示す図である。
【図６】第６の動作段階にある本発明による１つのシステムを示す図である。
【図７】本発明による１つの全体的なシステムの概略的な簡略図である。
【図８ａ】第１の動作段階にある本発明の廃棄物ステーションの一実施形態の概略図である。
【図８ｂ】第２の動作段階にある本発明の廃棄物ステーションの一実施形態の概略図である。
【図９】１つの動作段階にある、本発明の１つの全体的なシステムの概略的な簡略図である。
【図１０】第２の動作段階にある、本発明の１つの全体的なシステムの概略的な簡略図である。
【図１１】第３の動作段階にある、本発明の１つの全体的なシステムの概略的な簡略図である。
【図１２】本発明の一実施形態のサブシステムの別の動作段階の概略的な簡略図である。
【発明を実施するための形態】
【００１８】
図１乃至図６は、本発明による材料搬送システムのサブシステム１の動作を異なる動作段階で示す。図７は、５つのサブシステム１（Ｉ、ＩＩ、ＩＩＩ、ＩＶ、Ｖ）と、また廃棄物ステーション２と、サブシステム１（Ｉ、ＩＩ、ＩＩＩ、ＩＶ、Ｖ）と廃棄物ステーション２との間の必要な搬送配管１０、１１、１２、１１４とを備える全体的なシステムを示す。
【００１９】
図１は、材料搬送パイプ１００を備えるサブシステム１を示し、材料搬送パイプの側部に沿って、少なくとも１つの、通常は多くの投入点６１が配置されている。投入点６１は、搬送されることが意図される材料、より具体的には廃材の送り込みステーションであり、このステーションから、搬送されることが意図される材料、より具体的には家庭廃棄物等の廃材が搬送システム内に給送される。送り込みステーション６１は廃棄物シュートであるものとすることもでき、この廃棄物シュート内に、建物の様々な階の投入開口部から材料が給送される。システムは複数の送り込みステーション６１を備えることができ、この送り込みステーションから、搬送されることが意図される材料がサブシステム１の搬送配管１００、１００Ａ、１００Ｂ、１００Ｃ、１００Ｄ、１００Ｅ内に給送される。送り込みステーション６１は図ではドットで示されており、この場合、送り込みステーションに接続している弁手段６０等の遮断手段を開閉することによって材料を投入点６１から搬送パイプ１００内へ搬送することができる。図１ａは、本発明によるシステムにおいて用いられる１つの投入点６１と、この投入点の排出弁６０とをより詳細に示している。投入点は、弁側が、搬送パイプ１００、又は搬送パイプに接続しているパイプに接続されている。通常、搬送配管は主搬送パイプ１００を備えており、複数の分岐搬送パイプが主搬送パイプに接続することが可能とされてきており、更に複数の送り込みステーション６１が分岐搬送パイプに接続することが可能とされてきている。送り込まれる材料は、搬送配管１００、１００Ａ、１００Ｂ、１００Ｃ、１００Ｄに沿って分離装置１０６に搬送され、この分離装置において、移送される材料が例えば速度の低下及び遠心力に起因して搬送空気から分離される。分離された材料は、例えば必要性に従って分離装置１０６から取り除かれる。図１の実施形態では、主搬送パイプ１００は循環路の形になっており、循環路はライン弁１０１Ａ、１０１Ｂ、１０１Ｃ、１０１Ｄ、１０１Ｅによって複数の部分１００Ａ、１００Ｂ、１００Ｃ、１００Ｄ、１００Ｅに分かれている。この場合、特定のエリアの投入点を空にすること及びこれらの投入点の材料を搬送配管に沿って分離手段１０６内へ搬送することを調節することができる。
【００２０】
送り込まれた材料は、搬送配管１００、１００Ａ、１００Ｂ、１００Ｃ、１００Ｄ、１００Ｅに沿ってサブシステム１の分離手段１０６まで移送され、この分離手段において、移送された材料が搬送空気から分離される。分離手段１０６及び部分真空を達成する手段を、サブシステム１の廃棄物スペース１２０、例えば街区に固有の廃棄物スペースに配置することができる。
【００２１】
図の実施形態では、パイプ１０７が分離手段１０６のその上部に接続されており、このパイプは部分真空源３に接続することができる。図では、サブシステム１自身の部分真空源３は、真空ポンプ及びその駆動装置３１等の部分真空発生器３０を含む。図では、分離手段１０６と部分真空源３との間に、第２の分離手段１１０、より具体的には粒子分離器もある。第１の分離手段から第２の分離手段１１０まではパイプ１０７があり、また第２の分離手段のその上部から進むと部分真空源３の部分真空発生器３０の吸引側までのパイプ１１７がある。部分真空発生器３０の吹き出し側は、パイプ１３０へ、また進んでサブシステムの外方への吹き出しパイプ１３１及び／又は搬送パイプ１００内へ吹き出すように接続することができる。外方への吹き出しパイプには弁１２５及びフィルター１２６が設けられている。さらに、外方への吹き出しパイプ１３１は、必要であれば、補充空気用のパイプとして用いることができる。
【００２２】
本装置は、循環路の形になっているサブシステムの搬送パイプの搬送空気の、搬送パイプにおける循環の方向を変化させるのに用いることができる手段を備える。図１の実施形態及び動作段階では、弁１０４は開いており、この場合、分離手段及び部分真空発生器の吸引側は搬送パイプ１００にそのサブエリア１００Ｄの側から接続している。対応して、搬送パイプ１００のそのサブエリア１００Ａの側への弁１２３を開くことによって、部分真空発生器の吹き出し側からの接続が開く。配管内の搬送空気の循環の方向は、弁１０４を閉じるとともに、搬送パイプをサブエリア１００Ａの側から分離手段と部分真空発生器の吸引側とに接続するパイプ１０２内の弁１０５を開くことによって変化させることができる。この場合、同様に、パイプ１３０、１３１と搬送パイプのサブエリア１００Ａとを接続する弁１２３は閉じ、パイプ１０３内の弁１２４は開く。
【００２３】
さらに、サブシステムの分離手段１０６、１１０は、その下部から、パイプライン１１４を介して中身を空にして幹配管１０内へ移すことができる。これは以下でより詳細に説明する。さらに、幹パイプ１０に接続しているパイプ１１４から、パイプ１１５によってパイプ１３０、すなわち部分真空発生装置の吹き出し側への接続がある。パイプ１１５は弁１１６を備え、この弁によって接続を開閉することができる。
【００２４】
したがって、サブシステムと接続して手段が配置されており、この手段によって、幹パイプ１０における補助としてサブシステムの外側で少なくとも吸引を用いることによって、サブシステムの分離手段１０６又は対応する蓄積タンクの中身を幹パイプ１０内へ移すことができる。
【００２５】
サブシステムの分離手段１０６の中身を空にして幹パイプ１０内へ、また進んで幹パイプ１０に沿ってより広範なシステムの廃棄物ステーション２へ移すことが望ましい場合、吸引が幹パイプ１０内で、また進んでパイプ１１４内で作用する図２の状況に至る。分離手段１０６と幹パイプ１０との間の弁手段１１１が開かれ、この場合、分離手段内の材料を、吸引の効果によってパイプ１１４を介して幹パイプ１０内へ搬送することが可能である。分離手段１０６の上部へ補充空気がアクセスするように、サブシステムの弁が開閉される。図２の実施形態では、少なくとも補充空気パイプ１２１’、１２１及び１３１から分離手段１０６の上部への接続が開いている。図２の実施形態では、分離器手段は、幹ライン内で作用する吸引、及び補充空気によって空にされる。
【００２６】
図３の実施形態では、サブシステム自身の部分真空発生装置の吹き出しは、幹ライン内で作用する吸引の補助として用いられる。この場合、図１におけるように、補充空気パイプ１２１は弁１２２によって閉じており、パイプ１１７内の弁１１９が更に閉じている。部分真空発生装置のポンプ装置３０の吹き出し側は、分離手段の上部につながっている搬送パイプ１００内に吹き出すように接続されている。ポンプ装置は、ポンプ装置の吸引側にある補充空気パイプ１２１’から補充空気を受け取る。
【００２７】
図４の実施形態では、サブシステム１の部分真空発生装置３０によって幹ライン１０内で吸引効果が加えられる動作段階が示されている。部分真空発生装置３０、すなわちポンプ装置の吸引側は、パイプ１１７、１０９、１１４を介して幹ライン１０に接続されている。この場合、部分真空発生装置３０の吸引側の、サブシステム自身の搬送パイプ１００への接続は通常は閉じている。部分真空発生装置の吹き出し側は、外方への吹き出しパイプ１３１に吹き込むように接続されている。
【００２８】
図５の実施形態では、サブシステム１の部分真空発生装置３０によって幹ライン１０内で吹き出し効果が加えられる動作段階が示されている。部分真空発生装置３０、すなわちポンプ装置の吹き出し側は、パイプ１１５を介して幹ライン１０に接続されている。この場合、部分真空発生装置３０の吸引側の、サブシステム自身の搬送パイプ１００への接続は通常は閉じている。また、分離手段の、幹パイプへつながるパイプ１１４への接続は、弁１１１、１１２及び１１３によって閉じている。部分真空発生装置のポンプ装置３０は、ポンプ装置の吸引側にある補充空気パイプ１２１’から補充空気を受け取る。
【００２９】
図６の実施形態では、サブシステムの搬送パイプ及び投入点を空にするときに、サブシステム自身の部分真空源３によって達成される吸引に加えて幹パイプ１０内で作用する部分真空を用いる動作段階が示されている。図１の状況に対して、パイプライン１０９を介して分離手段１０６の上部からパイプライン１１４を介して幹パイプへの接続のみが開いている。この場合、パイプライン１０９の弁は開位置にある。
【００３０】
したがって、サブシステムの部分真空源の吸引側及び／又は吹き出し側が幹パイプ１０内で作用するように接続するのに用いることができる手段がシステムと接続して配置される。他方で、サブシステムは、幹パイプ１０内で作用する吸引をサブシステム１内で、例えばサブシステムの分離手段１０６の中身を空にして幹パイプ内へ移すとき、及び／又はサブシステムの投入点を空にするとき、並びに材料をサブシステムの分離手段に搬送するときに使用することができる手段を備える。
【００３１】
以下、システムの動作を図１乃至図６を用いて説明する。図１は、分岐搬送パイプ１００Ａの１つ又は複数の材料投入点を空にすることが望ましい状況を示す。
【００３２】
部分真空発生器の吸引側を直接又は搬送空気ダクトを介して蓄積タンクに接続すると、蓄積タンクには搬送パイプ１００の排出端が更に接続され、搬送パイプ１００内で部分真空が生成される。この場合、吸引は、蓄積タンクに接続している媒体経路１０７を介して搬送パイプ１００内で作用する。エリア弁が主搬送パイプ１００と分岐搬送パイプ１００Ａとの間にあり、この弁はこの動作段階では開いている。この場合、吸引は分岐搬送パイプ１００Ａにおいても作用することが可能である。図による場合では、投入点６１においてこの点の弁手段６０を開くと、搬送されることが意図される材料バッチが、分岐搬送パイプ１００Ａ内へ、また進んで主搬送パイプ１００内へ移送される。搬送パイプ内への可能な補充空気が、例えば、搬送パイプへの弁６０を開くと投入点６１を介して流れ込む。投入点の弁６０が閉じているときは、搬送パイプ内へ補充空気を受け入れるようにライン弁を開くことができるか、又は材料を空にするときにライン弁を開けたままにすることができ、この場合、空にされる送り込みコンテナー６１の材料が、搬送パイプ１００Ａ内を移動している空気流中に落とされる。
【００３３】
廃材は、搬送配管１００Ａ、１００に沿って蓄積タンク１０６まで搬送され、この蓄積タンクにおいて搬送空気が廃材から分離され、廃材は蓄積タンク１０６内に残る（図２）。
【００３４】
空にされることが意図される全ての投入点が空にされて材料が分岐搬送パイプ１００Ａから搬送パイプ１００内へ搬送されると、エリア弁を閉じることができ、次に、空にされることが意図されるエリアの分岐搬送パイプ１００Ｂのエリア弁１０１Ｂ（図３）を開くことができる。図１及び図２と関連して上述した方法と対応する方法でこの分岐搬送パイプの投入点の中身を空にして搬送パイプ１００Ｂ、１００内へ移して配管内を蓄積タンク１０６まで前方へ搬送した後、分岐搬送パイプのエリア弁１０１Ｂは閉じられ、例えば分岐搬送パイプ１００Ｃのエリア弁１０１Ｃ（図４）を開くことによって空にされる次のエリアへ進むことが可能である。
【００３５】
蓄積タンクが満杯になって、この蓄積タンクの中身を空にして搬送パイプ１０又は別のリザーバー、例えば運搬タンカー内へ前方に移すことが望ましい場合（図５）、サブシステムの搬送パイプ１００から蓄積タンク１０６への接続を、弁１０４を閉じることによって閉じる。また、蓄積タンクの上部への、部分真空発生器から媒体経路１０７への接続が弁手段１１９によって閉じられる。吸引効果は、蓄積タンクの下部に配置されている経路１１５へ伝達され、この場合、蓄積タンクの材料は蓄積タンクから経路１１４を介して搬送パイプ１０内へ移動し始める。補充空気は、弁１０８及び１１３が開位置になると補充空気パイプ１０９及び媒体経路１０７を介して蓄積タンク１０６のその上部に受け入れられる。
【００３６】
以下は、幹パイプ１０を介して廃棄物ステーション２に接続することができる複数のサブシステム１から形成されるより広範な材料搬送システムに対処するものである。図７の実施形態では、幹パイプ１０は循環路になるように配置されており、その両端はパイプ１１及び１２を介して廃棄物ステーション２及び廃棄物ステーションに配置される分離手段２０に接続している。図８ａ及び図８ｂにおいて廃棄物ステーションをより詳細に説明する。廃棄物ステーションは、幹パイプの循環路内で搬送空気の循環を変化させる手段を備える。図８ａの動作段階では、幹パイプと接続している第１のパイプ１１が分離装置２０に接続されている。搬送空気ダクト２２が、分離装置２０のその上部から、第２の分離装置２１、すなわち粒子分離器に、また進んで搬送空気ダクト２３及び１５を介して第２のパイプ１２につながっている。図８ａによる状況では、サブシステムの部分真空源によって達成される吸引効果は第２のパイプ１２内で作用し、この吸引効果は、分離手段２０、２１を介して、第１のパイプ１１内及び更に第１のパイプに接続している幹パイプ内で更に作用することが可能である。このタイプの状況が例えば図１０に示されている。
【００３７】
図１０の動作段階では、サブシステム１（ＩＩ）の分離手段内に収集された材料を空にするとともに、この材料を幹パイプに沿ってより広範なシステムの廃棄物ステーション２へ誘導することが望ましい。エリア弁１０Ａ、１０Ｂ、１０Ｃ、１０Ｄ、１０Ｅが幹パイプ内に配置されており、これらの弁によって幹パイプ１０を複数のエリアに分けることができる。図１０の場合、エリア弁１０Ｃは閉じている。この場合、搬送配管内に加えられる吸引効果（Ｓ）は、サブシステム１（ＩＩＩ）、１（Ｖ）及び１（ＩＶ）の部分真空源によってパイプ１１４を介して達成される。廃棄物ステーション２の装置は図８ａに従って接続されている。サブシステム１（ＩＩ）の装置は図２による段階に接続されている。図では、搬送される材料の移動方向は黒色の矢印で記載されており、主に材料の搬送中の搬送空気の移動は白色の矢印で記載されている。廃材は、サブシステム１（ＩＩ）の分離手段から、図１０の黒色の矢印によって記載される幹パイプ内の経路に沿って廃棄物ステーション２まで搬送される。
【００３８】
代替的に、図３の動作段階も用いることができ、この場合、幹ラインからの吸引効果を、サブシステム１（ＩＩ）の部分真空発生装置によって達成される吹き出しによって補助することができる。
【００３９】
図９の動作段階では、サブシステム１（Ｉ）、１（ＩＩ）、及び１（ＩＩＩ）の部分真空源の吸引側を図８ｂに従ってパイプ１１を介して廃棄物ステーションの分離装置２０に接続することによって、サブシステム１（Ｉ）、１（ＩＩ）、及び１（ＩＩＩ）の部分真空源を用いて搬送配管１０における材料搬送に必要な部分真空を形成する。図では、サブシステム１（Ｖ）の分離手段内に収集された材料を空にして廃棄物ステーション２の分離手段内へ移すことが望ましい。エリア弁１０Ｄは閉じられており、この場合、サブシステム１（Ｉ）、１（ＩＩ）、及び１（ＩＩＩ）の部分真空源の吸引効果は、幹パイプ内を、廃棄物ステーション２を介してサブシステム１（Ｖ）まで進む。サブシステム１（Ｖ）の装置は図２に対応する段階に接続されている。廃材は、サブシステム１（Ｖ）の分離手段から、図１０の黒色の矢印によって記載される幹パイプ内の経路に沿って廃棄物ステーション２まで搬送される。
【００４０】
図１１の動作段階では、意図するところは、サブシステム１（ＩＩ）の分離手段内に収集された材料を空にして、幹配管１０に沿って廃棄物ステーション２の分離手段内へ移すことである。図１１の動作段階では、吸引効果は、サブシステム１（ＩＶ）及び１（Ｖ）の部分真空源によって、パイプ１２を介して、廃棄物ステーションの分離手段を介してパイプ１１へ、また進んでサブシステム１（ＩＩ）への幹パイプを介して達成される。加えて、サブシステム１（ＩＩＩ）の部分真空発生装置によって達成される吹き出し効果が幹パイプ１０内で用いられる。エリア弁１０Ｄは閉じられている。吹き出し効果が１つ又は複数のサブシステムの部分真空発生装置のポンプ装置によって達成され、このポンプ装置は、廃棄物ステーションから、空にすることが意図されるサブシステムよりも幹パイプの材料搬送方向に離れている。サブシステム１（ＩＩＩ）によって達成される吹き出しによって、幹パイプ１０内で十分な空気流が達成され、この場合、サブシステム１（ＩＶ）及び１（Ｖ）によって達成される吸引効果とともに、サブシステム１（ＩＩ）の分離手段内に収集された材料の廃棄物ステーションへの搬送に必要な圧力差が達成される。
【００４１】
サブシステム１の搬送配管１００の直径は通常、幹配管１０の直径よりもはるかに小さく、その場合、必要とする空気流量がより少ない。例えば、サブシステムの搬送配管がタイプＮＳ３００である場合、この流量要件は約６０００ｍ３／時である。幹ラインのパイプのタイプがＮＳ５００である場合、この流量要件は約１８０００ｍ３／時である。この場合、幹ラインは、約３倍の空気の体積流量を必要とする。この場合、サブシステムの３つの部分真空発生装置が一緒に幹配管の空気流量要件に対処することもできることに留意することができる。これは、図１１におけるように１つのサブシステム１が搬送パイプ内に吹き出し、２つのサブシステムの部分真空発生装置が吸引するように構成することもできる。この場合、１つの実施形態において空気流の好適な速度が達成される。
【００４２】
図８ａによると、搬送される廃材は、図７のサブシステム１（Ｉ、ＩＩ、ＩＩＩ、ＩＶ、Ｖ）から、廃棄物ステーション２につながっている配管１１４、１０、１１に沿って分離装置２０まで搬送され、この分離装置において、搬送された材料が例えば速度の低下及び遠心力に起因して搬送空気から分離される。分離された材料は、例えば必要性に従って分離装置２０から廃棄物コンテナー４０等の材料コンテナーへ、又は更なる処理のために取り除かれる。多くの分離装置２０、２１が存在することができ、図８ａ、図８ｂにおけるように、２つの、すなわち第１の分離装置２０及び例えば粒子分離器である第２の分離装置２１が存在することができる。加えて、廃棄物ステーションは、廃棄物コンテナーと接続して廃棄物プレス機を有することができる。
【００４３】
第１の分離装置２０は、ダクト２２によって第２の分離装置２１に接続されており、また進んで搬送空気ダクト２３によって搬送パイプ内に部分真空を形成する手段に接続されている。
【００４４】
廃棄物ステーション２の搬送空気の循環及び搬送パイプ１０内の材料の進行方向は図８ａ及び図８ｂに従って調整することができる。図８ａでは、パイプ１１が搬送パイプ１０の入口パイプであり、このパイプ１１の弁１４がパイプ１９へ開いており、このパイプは分離装置２０へ進む経路につながっている。搬送パイプ１０の第１の端１１、すなわち図８ａの入口パイプはしたがって、分離器手段２０を介して、図の実施形態ではパイプ２２、第２の分離装置２１並びにパイプ２３、１５及び１２を介して吸引を達成するサブシステムのポンプ装置の吸引側に接続されている。図８ｂでは、パイプ１２が搬送パイプ１０の入口パイプであり、このパイプ１２の弁１３がパイプ１９へ開いており、このパイプは分離装置２０へ進む経路につながっている。材料の移送において、サブシステムによって達成される吸引は搬送パイプ１０において作用し、搬送パイプ１０はパイプ１１を介して廃棄物ステーション２の分離装置２０に接続されており、パイプ１６、２３を介して第２の分離装置２１及びパイプ２２に接続されている。
【００４５】
図７によって示されるシステムでは、主搬送パイプ１０は環状であり、この場合、幹パイプ１０における搬送空気の循環を、吸引が主搬送パイプの第１の端１１を介して構成されるか又は第２の端１２を介して構成されるかに応じて変化させることができる。幹パイプは終端パイプであり、この場合、廃棄物ステーションは最も好適には、サブシステムが幹パイプに並行して廃棄物ステーションの両側に配置されるように配置されると考えることができる。しかしながら、この場合、環状のタイプの幹パイプによってもたらされる利点は達成されない。
【００４６】
図１２は別の実施形態を示しており、この実施形態によると例えば広範なシステムが依然として建設段階にあるとき、又は何らかの他の理由で、サブシステムの分離手段１０６又は材料蓄積タンクの中身を空にして、運搬手段によって、運搬されることが意図されるタンク２００内へ移すことができる。空にすることはサブシステム１の部分真空発生装置３、３０、３１を使用することによって行うことができることに留意しなければならない。この場合、自身の部分真空発生装置は運搬手段には必要ない。図では、排出パイプ２０３が分離手段１０６又は蓄積タンクの下部に接続されており、このパイプは例えばホースによって、運搬タンカー２００の上部に配置されている分岐連結部２０１に接続されている。ホースはコネクターを備え、パイプ２０３及び分岐連結部２０１はカウンターパートを備える。必要な吸引を達成するために、パイプ２０４がサブシステムの部分真空発生装置の吸引側から配置されており、このパイプは例えばホースによって、運搬タンカー２００の上部に配置されている分岐連結部２０２に接続することができる。ホースはコネクターを備え、パイプ２０４及び分岐連結部２０２はカウンターパートを備える。弁２０６がパイプ２０４に配置されており、弁２０５が分離手段の排出パイプ２０３に配置されている。サブシステムの分離手段の中身を空にして運搬タンカー２００内へ移すことが望ましい場合、部分真空発生装置の吸引側を運搬タンカーに接続し、対応して、分離手段１０６又は蓄積タンクの排出パイプ２０３を運搬タンカー２００に接続する。部分真空装置３０、３１を始動すると、達成される吸引／部分真空によって材料が分離手段１０６からパイプ２０３に沿って分岐連結部２０１を介して運搬タンカー２００内へ搬送される。
【００４７】
したがって、本発明は、廃棄物搬送システム等の空気圧式材料搬送システムにおける方法であって、搬送システムは、材料、より具体的には廃材の少なくとも１つの投入点６１と、投入点６１に接続することができる材料搬送パイプ１００と、移送される材料を搬送空気から分離する分離装置と、また、少なくとも材料の移送中に搬送パイプ１００内で圧力差及び／又は搬送空気流を達成する手段とを備える、廃棄物搬送システム等の空気圧式材料搬送システムにおける方法に関する。本方法において、材料を投入点６１からサブシステム１の分離手段１０６又は蓄積タンクへ搬送し、分離手段又は蓄積タンクにおいて材料を搬送空気から分離し、第２の段階でサブシステム１の分離手段１０６又は蓄積タンク１０６を空にする。
【００４８】
１つの実施形態によると、本方法において、第１の段階で、サブシステム自身の部分真空発生装置３、３０、３１を、サブシステム１の投入点６１を空にすることと関連して用いて、材料搬送に必要な吸引効果を達成する。
【００４９】
１つの実施形態によると、本方法において、第２の段階で、より広範な廃棄物搬送システムの少なくとも１つの第２のサブシステム１の部分真空発生装置を用いて、材料の搬送において、搬送パイプ、すなわち幹パイプ１０内で、１つの第１のサブシステムの分離手段１０６又は蓄積タンク内に収集された廃棄物を廃棄物ステーション２の分離装置２０まで搬送するのに必要な吸引効果を達成する。
【００５０】
１つの実施形態によると、材料を、サブシステム１の分離装置から搬送パイプ１０に沿って前方に、廃棄物ステーション２の分離装置２０まで搬送し、分離装置において、搬送される材料を搬送空気から分離する。
【００５１】
１つの実施形態によると、より広範なシステムの搬送パイプ、すなわち幹パイプ１０は、搬送空気を搬送パイプ１０内で循環させることができるように循環路になるように接続されている。
【００５２】
１つの実施形態によると、本方法において、部分真空を、第２のサブシステム１の部分真空発生器等の少なくとも１つのポンプ装置を用いて、より広範なシステムの搬送パイプ、すなわち幹パイプ１０内で達成し、ポンプ装置の吸引側は、広範なシステム、すなわち全体的なシステムの分離装置２０に接続されている。
【００５３】
１つの実施形態によると、本方法において、圧力、すなわち吹き出しを第２のサブシステム１のファンを用いて達成し、このファンは、搬送パイプ、すなわち幹パイプ１０内に、空にされるサブシステム１よりも材料の進行方向に分離手段２０から離れて配置される。
【００５４】
１つの実施形態によると、本方法において、材料を、材料の投入点６１から搬送パイプ１００内に給送し、投入点は、廃棄物容器又は廃棄物シュート等の廃棄物の投入点である。
【００５５】
１つの実施形態によると、本方法において、サブシステム１は街区等の特定のエリアの廃棄物搬送システムである。
【００５６】
１つの実施形態によると、広範なシステム、すなわち全体的なシステムが、或る都市の地区等の特定のエリアの廃棄物搬送システムであり、広範なシステムは複数のサブシステム１を備える。
【００５７】
本発明はまた、廃棄物搬送システム等の空気圧式材料搬送システムにおける装置であって、搬送システムは、材料、より具体的には廃材の少なくとも１つの投入点６１と、投入点６１に接続することができる材料搬送パイプ１００と、移送される材料を搬送空気から分離する分離装置と、また、少なくとも材料の移送中に搬送パイプ１００内で圧力差を達成する手段３０、３１とを備える、廃棄物搬送システム等の空気圧式材料搬送システムにおける装置に関する。本装置は、材料を投入点６１からサブシステム１の分離手段１０６へ搬送する手段を備え、分離手段において材料が搬送空気から分離され、サブシステムは、局所的な部分真空発生装置と、より広範な廃棄物搬送システムの少なくとも１つの第２のサブシステムの部分真空発生装置とに接続されるように適合されている。
【００５８】
１つの実施形態によると、本装置は、材料を、サブシステム１の蓄積タンクから搬送パイプ１０に沿って前方に、廃棄物ステーション２の分離装置２０まで搬送する手段を備え、分離装置において、搬送される材料を搬送空気から分離する。
【００５９】
１つの実施形態によると、より広範なシステムの搬送パイプ１０が、搬送空気を搬送パイプ１０内で循環させることができるように循環路になるように接続されるように適合されている。
【００６０】
１つの実施形態によると、吸引側が分離装置２０に接続されている、部分真空発生器及び／又はファン等の少なくとも１つのポンプ装置が、より広範なシステムの循環路内に取り付けられている。
【００６１】
１つの実施形態によると、材料の投入点６１は、廃棄物容器又は廃棄物シュート等の廃棄物の投入点である。
【００６２】
１つの実施形態によると、サブシステム１は街区等の特定のエリアの廃棄物搬送システムである。
【００６３】
１つの実施形態によると、広範なシステム、すなわち全体的なシステムが、或る都市の地区等の特定のエリアの廃棄物搬送システムであり、広範なシステムは複数のサブシステム１を備える。
【００６４】
請求項１乃至１６のいずれか１項に記載の装置を備える廃棄物搬送システム。
【００６５】
本発明の対象はまた、特定の街区の空気圧式廃棄物システム等の複数のサブシステムと、搬送配管１０であって、この搬送配管１０によってサブシステム１の廃棄物を廃棄物ステーション２の分離手段へ搬送することができ、分離手段において廃棄物が搬送空気から分離される、搬送配管１０とを備える、空気圧式廃棄物搬送システムである。本システムにおいて、１つのサブシステム１の分離手段１０６又は収集タンク内に収集された材料を、サブシステム１の分離手段から搬送パイプ、すなわち幹パイプ１０内で広範なシステムの廃棄物ステーション２の分離手段まで搬送するのに必要な部分真空及び／又は吹き出しが、少なくとも１つの第２のサブシステム１の部分真空発生装置／ファンによって達成されるように適合されている。
【００６６】
１つの実施形態によると、少なくとも２つのサブシステム１の部分真空発生装置を用いて必要な吸引又は部分真空を達成する。
【００６７】
１つの実施形態によると、少なくとも１つの第２のサブシステム１の部分真空発生装置の吹き出し側が、搬送パイプ、すなわち幹パイプ１０の、搬送パイプ、すなわち幹パイプ１０内に中身を空にされるサブシステム１の接続点よりも材料の搬送方向に分離手段から離れた地点に接続される。
【００６８】
１つの実施形態によると、広範なシステム、すなわち全体的なシステムが、或る都市の地区等の特定のエリアの廃棄物搬送システムであり、広範なシステムは複数のサブシステム１を備える。
【００６９】
１つの実施形態によると、本装置は、材料を、サブシステム１の蓄積タンクから搬送パイプ１０に沿って前方に、廃棄物ステーション２の分離装置２０まで搬送する手段を備え、分離装置において、搬送される材料を搬送空気から分離する。
【００７０】
１つの実施形態によると、廃棄物搬送システムは、請求項１０乃至１７のいずれか１項に記載の装置を備える。
【００７１】
本発明による空気圧式廃棄物システムの実施形態は、適用場所の要件に従って変えることができる。システムの材料搬送に必要な圧力差は例えば空気流によって生成され、空気流の大きさは多くの要因に依存する。廃棄物ステーション２では自身の部分真空発生装置が通常は必要とされない、本発明による分散されたシステムでは、したがって、材料を任意の所与の時点で１つのサブシステムの分離手段１０６又は蓄積タンクから廃棄物ステーション２の分離手段２０へ搬送するのに必要な部分真空及び／又は吹き出しを生成する他のサブシステム１の数は、適用場所に依存する。
【００７２】
本発明は、上記で示された実施形態に限定されないが、添付の特許請求の範囲の範囲内で変えることができることが当業者に明らかである。他の特徴とともに本明細書において示された可能性のある特徴は、必要であれば互いに別々に使用することもできる。
【図１】
0005898099.tif 000002
【図１ａ】
0005898099.tif 000003
【図２】
0005898099.tif 000004
【図３】
0005898099.tif 000005
【図４】
0005898099.tif 000006
【図５】
0005898099.tif 000007
【図６】
0005898099.tif 000008
【図７】
0005898099.tif 000009
【図８ａ】
0005898099.tif 000010
【図８ｂ】
0005898099.tif 000011
【図９】
0005898099.tif 000012
【図１０】
0005898099.tif 000013
【図１１】
0005898099.tif 000014
【図１２】
0005898099.tif 000015